(57)【要約】【課題】シーン撮影モード、マクロ撮影モードなどの撮影条件が、相互の適応性をもって設定され、撮影条件下で被写体の高画質の撮影を低消費電力で効率的に行なう撮像装置を提供する。【解決手段】オペレータが操作部２３から、シーン撮影モード及びマクロ撮影モードの選択を含む各種の撮影条件の選択を独立して行なうと、複数の選択撮影条件相互間に、撮影の効率化と低消費電力化に基づき、被写体撮影上の適応性があるか否かがＣＰＵ２２により判定され、得られる判定結果に基づき、ＣＰＵ２２の指令によりマクロ制御ユニット２９、画質制御ユニット２９により、選択撮影条件に対して適確なマクロ撮影モード及び画質撮影モードが選択設定され、被写体の高品質の撮影画像が低消費電力で効率的に撮像取得可能になる。【選択図】図１
2008116987.tif 000002
【特許請求の範囲】
【請求項１】
被写体の撮影に際して、複数のシーン撮影モードから実行するシーン撮影モードを選択し、選択されるシーン撮影モードでの撮影を設定するシーン撮影モード設定手段と、
被写体のストロボを使用する撮影に際して、複数のストロボモードから実行するストロボ撮影モードを選択し、選択されるストロボ撮影モードでの撮影を設定するストロボモード設定手段と、
前記シーン撮影モード設定手段で選択設定されたシーン撮影モードに対して、適応性を有するストロボ撮影モードの選択設定が行なわれるように、前記ストロボモード設定手段の選択設定動作を制御するストロボモード設定制御手段と
を有することを特徴とする撮像装置。
【請求項２】
請求項１記載の撮像装置において、
シーン撮影モード設定手段により設定されるシーン撮影モードに対して、ストロボモード制御手段の制御によって、ストロボモード設定手段により選択設定されるストロボ撮影モードの初期値がストロボ禁止状態に設定されることを特徴とする撮像装置。
【請求項３】
請求項１記載の撮像装置において、
ストロボモード設定手段によって、設定されるストロボ撮影モードを保持し、或いは初期化するストロボモード保持・初期化制御手段と、
該ストロボモード保持・初期化制御手段の動作を選択する保持・初期化選択手段と
がさらに設けられていることを特徴とする撮像装置。
【請求項４】
請求項１記載の撮像装置において、
シーン撮影モード設定手段により風景撮影モードが設定されると、ストロボモード制御手段の制御によって、ストロボモード設定手段は、ストロボ撮影モードを発光禁止モードに選択設定することを特徴とする撮像装置。
【請求項５】
請求項１記載の撮像装置において、
シーン撮影モード設定手段により人物撮影モード以外の撮影モードが設定されると、ストロボ制御手段によって、ストロボモード設定手段は、赤目撮影モード以外のストロボ撮影モードを選択設定することを特徴とする撮像装置。
【請求項６】
請求項５記載の撮像装置において、
人物撮影モード以外の撮影モードが、文字撮影モード、または風景撮影モードであることを特徴とする撮像装置。
【請求項７】
請求項１記載の撮像装置において、
シャッタ速度が基準値未満では、ストロボを発光させ、シャッタ速度が基準値以上では、ストロボの発光を禁止するストロボ駆動手段と、
シーン撮影モード設定手段による夜景撮影モードの設定時に、前記基準値未満までシャッタ速度を許可し、夜景撮影モード以外のシーン撮影モードの設定時には、基準値でシャッタ速度を打ち切るシャッタ速度設定手段と
がさらに設けられていることを特徴とする撮像装置。
【請求項８】
被写体の撮影に際して、複数のシーン撮影モードから実行するシーン撮影モードを選択し、選択されたシーン撮影モードでの撮影を設定するシーン撮影モード設定手段と、
被写体の近距離からの撮影を選択し、マクロ撮影モードを設定するマクロ撮影モード設定手段と、
前記シーン撮影モード設定手段により、マクロ撮影に適応性のないシーン撮影モードが設定されると、マクロ撮影を禁止するマクロ撮影禁止手段と
を有することを特徴とする撮像装置。
【請求項９】
請求項８記載の撮像装置において、
マクロ撮影に適応性のないシーン撮影モードが、風景撮影モード、夜景撮影モード及びスポーツ撮影モードの何れかであることを特徴とする撮像装置。
【発明の詳細な説明】
【技術分野】
【０００１】
本発明は、被写体撮影条件に対応する撮影モードの選択機能を備えた撮像装置に関する。
【背景技術】
【０００２】
近年、ディジタルカメラなどの撮像装置には、オペレータの使用上の便宜を考慮して、ポートレートモード、夜景モード、風景モード、スポーツモード、スナップモード、文字モードなどのシーン撮影モードの選択設定機能が具備されており、ディジタルカメラの操作上の知識や経験の少ないオペレータでも、シーン撮影モードの選択設定を行なうことにより、選択したシーン撮影モードに対応して、被写体の高品質の撮像画像を撮影取得することが可能になっている（例えば、特許文献１参照。）。
例えば、シーン撮影モードとして、夜景モードを選択すると、夜間の被写体の撮影時にコントラストを高め、黒設定閾値を高めて露出を全体が暗めの画像となるように制御して、被写体の撮影が夜間での視覚効果を高めて行なわれる。
一方、撮像装置では、撮影雰囲気条件に応じて、ストロボ撮影モードやマクロ撮影モードが選択設定され、また、撮影雰囲気条件に応じたシャッタ速度が選択され、シーン撮影モード、ストロボ撮影モード、マクロ撮影モードに適応したシャッタ速度で被写体の撮影が行なわれる。
【０００３】
このようにして被写体の撮影が行なわれる撮像装置では、選択されるシーン撮影モード、ストロボ撮影モード及びマクロ撮影モード、選択されるシャッタ速度に対しては、選択される条件相互間の適応性が要求され、さらに、無駄な電力消費がなく、オペレータの操作負担のない撮影動作が要求される。
例えば、シーン撮影モードに風景モードが選択されると、ストロボ撮影モードやマクロ撮影モードの選択設定は意味がなく、人物撮影以外のシーン撮影モードに対して、赤目モードのストロボ撮影が行なわれても意味がない。
そして、このような場合に、ストロボが発光認可モードにあると、ストロボ発光を行なわない場合でも、充電チェックと必要な充電動作が常に行なわれ無駄に電力が消費されることになる。
【０００４】
【特許文献１】特開２００１−２１１４５７号公報（段落［００２６］〜［００６８］）
【発明の開示】
【発明が解決しようとする課題】
【０００５】
本発明は、前述したような従来の撮影装置の動作の現状に鑑みてなされたものであり、その目的は、選択されるシーン撮影モードに対応して、ストロボ撮影モード、マクロ撮影モード、シャッタ速度を含む撮影条件が、相互の適応性を満足する状態で設定され、撮影雰囲気条件に対応する被写体の高画質の撮影を、オペレータの負担なしに、且つ無駄な電力消費なしに行なうことが可能な撮像装置を提供することにある。
【課題を解決するための手段】
【０００６】
〔１〕  前記目的を達成するために、請求項１記載の発明に係る撮像装置は、被写体の撮影に際して、複数のシーン撮影モードから実行するシーン撮影モードを選択し、選択されるシーン撮影モードでの撮影を設定するシーン撮影モード設定手段と、被写体のストロボを使用する撮影に際して、複数のストロボモードから実行するストロボ撮影モードを選択し、選択されるストロボ撮影モードでの撮影を設定するストロボモード設定手段と、前記シーン撮影モード設定手段で選択設定されたシーン撮影モードに対して、適応性を有するストロボ撮影モードの選択設定が行なわれるように、前記ストロボモード設定手段の選択設定動作を制御するストロボモード設定制御手段とを有することを特徴とするものである。
このような手段によると、被写体の撮影に際して、シーン撮影モード設定手段によって、複数のシーン撮影モードから実行するシーン撮影モードが選択され、選択されたシーン撮影モードでの撮影が設定され、被写体のストロボを使用する撮影に際しては、ストロボモード設定手段によって、複数のストロボモードから実行するストロボモードが選択され、選択されるストロボモードでの撮影の設定が行なわれるが、シーン撮影モード設定手段で選択設定されたシーン撮影モードに対して、適応性を有するストロボモードの選択設定が行なわれるように、ストロボモード設定制御手段によって、ストロボモード設定手段の選択設定動作が制御され、選択設定されるシーン撮影モードに対して、適応性のない不適確なストロボモードが選択設定されることはなく、オペレータに修復操作などの負担を与えず、且つ無駄な電力消費を防止して、撮影雰囲気条件に対応して、常に被写体の高品質の撮像画像が撮影取得される。
〔２〕  同様に前記目的を達成するために、請求項２記載の発明は、請求項１記載の発明において、シーン撮影モード設定手段により設定されるシーン撮影モードに対して、ストロボモード制御手段の制御によって、ストロボモード設定手段により選択設定されるストロボ撮影モードの初期値がストロボ禁止状態に設定されることを特徴とするものである。
このような手段によると、請求項１記載の発明での作用に加えて、ストロボモード制御手段の制御によって、シーン撮影モード設定手段により選択設定されるシーン撮影モードに対応して、ストロボモード設定手段により選択設定されるストロボモードの初期値が、常にストロボ禁止状態に設定され、ストロボの電源容量のチェックと充電動作の実行とが必要時に限定して行なわれ、不要な電力消費が防止され、撮影動作が効率的に行なわれる。
〔３〕  同様に前記目的を達成するために、請求項３記載の発明は、請求項１記載の発明において、ストロボモード設定手段によって、設定されるストロボ撮影モードを保持し、或いは初期化するストロボモード保持・初期化制御手段と、該ストロボモード保持・初期化制御手段の動作を選択する保持・初期化選択手段とがさらに設けられていることを特徴とするものである。
このような手段によると、請求項１記載の発明での作用に加えて、保持・初期化選択手段によって、ストロボモード設定手段により設定されるストロボモードの保持或いは初期化が選択され、必要時には設定したストロボモードをストロボモード保持・初期化手段に保持させることにより、改めてストロボモードを設定する重複操作が省かれ、被写体の撮影動作が効率的に実行される。
〔４〕  同様に前記目的を達成するために、請求項４記載の発明は、請求項１記載の発明において、シーン撮影モード設定手段により風景撮影モードが設定されると、ストロボモード制御手段の制御によって、ストロボモード設定手段は、ストロボ撮影モードを発光禁止モードに選択設定することを特徴とするものである。
このような手段によると、請求項１記載の発明での作用に加えて、シーン撮影モード設定手段により風景撮影モードが設定されると、ストロボモード制御手段の制御によって、ストロボモード設定手段は、ストロボモードを発光禁止モードに選択設定し、無駄なストロボ発光を防止することによって、被写体の撮影動作が消費電力の浪費を避けて効率的に行なわれる。
〔５〕  同様に前記目的を達成するために、請求項５記載の発明は、請求項１記載の発明において、シーン撮影モード設定手段により人物撮影モード以外の撮影モードが設定されると、ストロボ制御手段によって、ストロボモード設定手段は、赤目撮影モード以外のストロボ撮影モードを選択設定することを特徴とするものである。
このような手段によると、請求項１記載の発明での作用に加えて、シーン撮影モード設定手段により人物撮影モード以外の撮影モードが設定されると、ストロボ制御手段によって、ストロボモード設定手段が、設定された撮影モードには不要な赤目撮影モード以外のストロボモードの選択設定を制御することにより、ストロボの無駄な赤目発光を防止することによって、被写体の撮影動作が消費電力の浪費を避けて効率的に行なわれる。
〔６〕  同様に前記目的を達成するために、請求項６記載の発明は、請求項５記載の発明において、人物撮影モード以外の撮影モードが、文字撮影モード、または風景撮影モードであることを特徴とするものである。
このような手段によると、人物撮影モード以外の撮影モードを、文字撮影モード、または風景撮影モードとして、請求項５記載の発明での作用が実行される。
〔７〕  同様に前記目的を達成するために、請求項７記載の発明は、請求項１記載の撮像装置において、シャッタ速度が基準値未満では、ストロボを発光させ、シャッタ速度が基準値以上では、ストロボの発光を禁止するストロボ駆動手段と、シーン撮影モード設定手段による夜景撮影モードの設定時に、前記基準値未満までシャッタ速度を許可し、夜景撮影モード以外のシーン撮影モードの設定時には、基準値でシャッタ速度を打ち切るシャッタ速度設定手段とがさらに設けられていることを特徴とするものである。
このような手段によると、請求項１記載の発明での作用に加えて、シャッタ速度が基準値未満では、ストロボを発光させ、シャッタ速度が基準値以上では、ストロボの発光を禁止するストロボ駆動手段に対して、シーン撮影モード設定手段による夜景撮影モードの設定時には、基準値未満までシャッタ速度を許可することにより、遅いシャッタ速度でストロボを発光させ、シャッタ速度を基準値未満まで低速にすることて、ストロボ光が届く人物だけでなく、ストロボ光が届かない背景も明るく撮影し、夜景を背景とする人物の高画質なストロボ撮影が行なわれる。
〔８〕  同様に前記目的を達成するために、請求項８記載の発明は、被写体の撮影に際して、複数のシーン撮影モードから実行するシーン撮影モードを選択し、選択されたシーン撮影モードでの撮影を設定するシーン撮影モード設定手段と、被写体の近距離からの撮影を選択し、マクロ撮影モードを設定するマクロ撮影モード設定手段と、前記シーン撮影モード設定手段により、マクロ撮影に適応性のないシーン撮影モードが設定されると、マクロ撮影を禁止するマクロ撮影禁止手段とを有することを特徴とするものである。
このような手段によると、被写体の撮影に際して、シーン撮影モード設定手段によって、複数のシーン撮影モードから実行するシーン撮影モードが選択され、選択されたシーン撮影モードでの撮影が設定され、マクロ撮影モード設定手段によって、被写体の近距離からの撮影を行なうマクロ撮影モードが設定された場合、シーン撮影モード設定手段によって、マクロ撮影に適応性のないシーン撮影モードが設定されると、マクロ撮影禁止手段によってマクロ撮影が禁止され、マクロ撮影に適応性のないシーン撮影モードでの誤撮影が防止される。
〔９〕  同様に前記目的を達成するために、請求項９記載の発明は、請求項８記載の発明において、マクロ撮影に適応性のないシーン撮影モードが、風景撮影モード、夜景撮影モード及びスポーツ撮影モードの何れかであることを特徴とするものである。
このような手段によると、マクロ撮影に適応性のないシーン撮影モードを、風景撮影モード、夜景撮影モード及びスポーツ撮影モードの何れかとして、請求項８記載の発明での作用が実行される。
【発明の効果】
【０００７】
請求項１記載の発明によると、被写体の撮影に際して、シーン撮影モード設定手段によって、複数のシーン撮影モードから実行するシーン撮影モードが選択され、選択されたシーン撮影モードでの撮影が設定され、被写体のストロボを使用する撮影に際しては、ストロボモード設定手段によって、複数のストロボモードから実行するストロボモードが選択され、選択されるストロボモードでの撮影の設定が行なわれるが、シーン撮影モード設定手段で選択設定されたシーン撮影モードに対して、適応性を有するストロボモードの選択設定が行なわれるように、ストロボモード設定制御手段によって、ストロボモード設定手段の選択設定動作が制御されるので、選択設定されるシーン撮影モードに対して、適応性のない不適確なストロボモードが選択設定されることはなく、オペレータに修復操作などの負担を与えず、且つ無駄な電力消費を防止して、撮影雰囲気条件に対応して、常に被写体の高品質の撮像画像を撮影取得することが可能になる。
請求項２記載の発明によると、請求項１記載の発明で得られる効果に加えて、ストロボモード制御手段の制御によって、シーン撮影モード設定手段により選択設定されるシーン撮影モードに対応して、ストロボモード設定手段により選択設定されるストロボモードの初期値が、常にストロボ禁止状態に設定されるので、ストロボの電源容量のチェックと充電動作の実行を必要時に限定して行い、不必要な電力消費を防止することによって、撮影動作を効率的に行なうことが可能になる。
請求項３記載の発明によると、請求項１記載の発明で得られる効果に加えて、保持・初期化選択手段によって、ストロボモード設定手段により設定されるストロボモードの保持或いは初期化が選択され、必要時には設定したストロボモードをストロボモード保持・初期化手段に保持させることにより、改めてストロボモードを設定する重複操作を省くことによって、被写体の撮影動作を効率的に実行することが可能になる。
請求項４記載の発明によると、請求項１記載の発明で得られる効果に加えて、シーン撮影モード設定手段により風景撮影モードが設定されると、ストロボモード制御手段の制御によって、ストロボモード設定手段は、ストロボモードを発光禁止モードに選択設定し、無駄なストロボ発光を防止することによって、被写体の撮影動作を消費電力の浪費を避けて効率的に行なうことが可能になる。
請求項５記載の発明によると、請求項１記載の発明で得られる効果に加えて、シーン撮影モード設定手段により人物撮影モード以外の撮影モードが設定されると、ストロボ制御手段によって、ストロボモード設定手段が、設定された撮影モードには不要な赤目撮影モード以外のストロボモードの選択設定を制御することにより、ストロボの無駄な赤目発光を防止することによって、被写体の撮影動作を消費電力の浪費を避けて効率的に行なうことが可能になる。
請求項６記載の発明によると、請求項５記載の発明において、人物撮影モード以外の撮影モードを、文字撮影モード、または風景撮影モードとして、請求項５記載の発明で得られる効果を実現することが可能になる。
請求項７記載の発明によると、請求項１記載の発明で得られる効果に加えて、シャッタ速度が基準値未満では、ストロボを発光させ、シャッタ速度が基準値以上では、ストロボの発光を禁止するストロボ駆動手段に対して、シーン撮影モード設定手段による夜景撮影モードの設定時には、基準値未満までシャッタ速度を許可することにより、遅いシャッタ速度でストロボを発光させ、シャッタ速度を基準値未満まで低速にすることで、ストロボ光が届く人物だけでなく、ストロボ光が届かない背景も明るく撮影し、夜景を背景とする人物の高画質なストロボ撮影を行なうことが可能になる。
請求項８記載の発明によると、被写体の撮影に際して、シーン撮影モード設定手段によって、複数のシーン撮影モードから実行するシーン撮影モードが選択され、選択されたシーン撮影モードでの撮影が設定され、マクロ撮影モード設定手段によって、被写体の近距離からの撮影を行なうマクロ撮影モードが設定される場合、シーン撮影モード設定手段によって、マクロ撮影に適応性のないシーン撮影モードが設定されると、マクロ撮影禁止手段によってマクロ撮影が禁止されるので、マクロ撮影に適応性のないシーン撮影モードでの誤撮影の防止が可能になる。
請求項９記載の発明によると、請求項８記載の発明において、マクロ撮影に適応性のないシーン撮影モードを、風景撮影モード、夜景撮影モード及びスポーツ撮影モードの何れかとして、請求項８記載の発明で得られる効果が実現可能となる。
【発明を実施するための最良の形態】
【０００８】
以下に本発明の一実施の形態を、図１ないし図３を参照して説明する。
図１は本実施の形態の構成を示すブロック図、図２は本実施の形態の外観構成を示す説明図、図３は本実施の形態で液晶ディスプレイに表示されるシーン撮影モードに対するストロボモード設定画像の説明図である。
【０００９】
本実施の形態では、図１に示すように、受光面に結像される被写体光像を光電変換し、撮像信号として出力する電子シャッタ機能を備えたＣＣＤ（Ｃｈａｒｇｅ  Ｃｏｕｐｌｅｄ  Ｄｅｖｉｃｅ；電荷結合素子）５が設けられ、このＣＣＤ５の前段には、ＣＣＤ５の受光面に被写体光像を結像するレンズ部１が配設され、レンズ部１とＣＣＤ５との間には、被写体光像のＣＣＤ５への入射と入射遮断の制御をするシャッタ機構部２が配設され、ＣＣＤ５の出力端子には撮像信号処理ユニット１０が接続されている。
【００１０】
この撮像信号処理ユニット１０においては、ＣＣＤ５の出力端子に接続され、入力される撮像信号の雑音抑制を行なうＣＤＳ（Ｃｏｒｒｅｌａｔｅｄ  ｄｏｕｂｌｅ  ｓａｍｐｌｉｎｇ  ｃｉｒｃｕｉｔ；相関２重サンプリング回路）６が設けられ、ＣＤＳ６の出力端子には、利得補正を行なうＡＧＣ７が接続され、ＡＧＣ７の出力端子には、雑音抑制と利得補正が施された撮像信号に対して、例えばＮＴＳＣ信号のサブキャリア周波数の整数倍でＡＤ変換を行なうＡＤ変換回路８が接続されており、さらに、ＣＣＤ５、ＣＤＳ６、ＡＧＣ７及びＡＤ変換回路８にそれぞれ駆動制御信号を出力する駆動制御回路１１が配設されている。
【００１１】
以上に説明した構成を有する撮像信号処理ユニット１０には、撮像信号処理ユニット１０からの出力信号に対して、信号処理を行なう信号処理ユニット１２が接続され、この信号処理ユニット１２においては、ＡＤ変換回路８の出力端子に接続され、インタフェース動作を行なうＣＣＤインタフェース１３が設けられ、ＣＣＤインタフェース１３の第１の出力端子には、信号処理の総合制御を行なうメモリコントローラ１４が接続され、ＣＣＤインタフェース１３の第２の出力端子からは、前述の駆動制御回路１１に垂直同期信号ＶＤと水平同期信号ＶＨとが入力されるように構成されている。
さらに、信号処理ユニット１２においては、メモリコントローラ１４に、ＲＡＷ−ＲＧＢデータに対してＹＵＶ変換を行なうＹＵＶ変換回路１５、ＪＰＥＧ（Ｊｏｉｎｔ  Ｐｈｏｔｏｇｒａｐｈｉｃ  Ｅｘｐｅｒｔｓ  Ｇｒｏｕｐ）規格のデータ圧縮・伸長を行なう圧縮・伸長処理ブロック１７、及び表示信号のインタフェース動作を行なうディスプレイインタフェース１６が接続されている。
【００１２】
このような構成の信号処理ユニット１２のディスプレイインタフェース１６には、各種のデータの表示を行なう液晶ディスプレイ１８が接続され、メモリコントローラ１４には、ＲＡＷ−ＲＧＢデータ３１、ＹＵＶ変換データ３２、及びＪＰＥＧ圧縮データ３３が格納されるＳＤＲＡＭ３４、装置全体の撮影動作を制御するＣＰＵ２２、制御プログラムが格納されたＲＯＭ２４、制御動作時に各種のデータの書込・読出が行なわれるＳＲＡＭ（Ｓｔａｔｉｃ  ＲＡＭ）２１が接続され、さらに圧縮画像データが記録されるメモリカード２０が着脱自在に接続されている。
【００１３】
一方、オペレータにより各種の撮影指令信号が入力される操作部２３が接続されるＣＰＵ２２には、レンズ部１とシャッタ機構部２とを駆動するモータドライバ３と前述した駆動制御回路１１が接続され、このＣＰＵ２２には、操作部２３から入力される撮影指令信号に基づいて、複数のストロボ撮影モードから指令に係るストロボ撮影モードの選択設定を行なうストロボモード設定ユニット２５、マクロモードの設定を行なうマクロモード設定ユニット２６、及び複数のシーン撮影モードから指令に係るシーン撮影モードの選択設定を行なうシーン撮影モード設定ユニット２７が設けられている。
【００１４】
また、ＣＰＵ２２には、シーン撮影モード設定ユニット２７で設定されるシーン撮影モードに対して、ストロボモード設定ユニット２５に適応性を有するストロボ撮影モードの設定を行なわせる制御を行なうストロボモード制御ユニット２８、シーン撮影モード設定ユニット２７で設定されるシーン撮影モードに対して、マクロモードの設定が適応性を有する場合に、マクロモード設定ユニット２６のマクロモードの設定を制御するマクロ制御ユニット２９、及びシーン撮影モード設定ユニット２７で設定されるシーン撮影モードに適確に対応する画質制御を行なう画質制御ユニット３０が設けられている。
この画質制御ユニット３０では、シーン撮影モード設定ユニット２７によって、人物撮影を行なうポートレートモードが設定されると、やや明るめの画質となるように、ガンマカーブを変更し、肌色が綺麗に見えるように、カラーバランスをやや赤方向にシフトする。
さらに、ＣＰＵ２２には、撮像装置のシャッタ速度について手振れに基づき設定される下限速度の基準秒値を所定の撮影条件下で変更するシャッタ速度変更手段が設けられている。
【００１５】
図２には本実施の形態の外観構成が示され、同図（ａ）は上蓋を開いた状態の平面図、同図（ｂ）は上蓋を開いた状態の正面図、同図（ｃ）は上蓋を開いた状態の側面図である。
カメラ本体４７の上面の一縁辺部にヒンジ３７によって開閉自在に液晶ディスプレイ１８を備えた上蓋３６が取り付けられ、上蓋３６の上面には、撮影枚数、バッテリの交換警報などが表示されるサブディスプレイ４８が配置され、同様に、カメラ本体４７の上面には、上蓋３６の開閉を検知する上蓋開閉検知スイッチ３５が設けられている。さらに、カメラ本体４７の上面には、ＤＡＴＥスイッチ４３、コマ送りスイッチ４４ａ、４４ｂ、ストロボスイッチ４１、画質モードスイッチ４０、記録モード切換スイッチ４２及びレリーズスイッチ３８が設けられており、カメラ本体４７の前面には、レンズ部１、ストロボ２５及びファインダ４６が設けられている。上記各スイッチ類は操作部２３として適宜使用される。
【００１６】
このような構成の本実施の形態の撮影動作を説明する。
撮影動作に際して、オペレータは、操作部２３を操作することにより、図３に示すように、液晶ディスプレイ１８に表示される設定メニュー画像１８Ａに基づいて、シーン撮影モード、ストロボ撮影モード、及びマクロ撮影モードの選択を含む各種の撮影条件の選択をそれぞれ独立して行なうと、設定される複数の撮影モード相互間に、撮影の効率性と低消費電力化とに基づき、現撮影雰囲気条件下で、被写体撮影に対しての適応性があるか否かが、ＣＰＵ２２の指令によって判定され、得られる判定結果に基づいて、選択された撮影モードの設定の制御が行なわれる。
【００１７】
この場合のＣＰＵ２２により制御実行される具体的なケースを例示すると以下のようになる。
（１）シーン撮影モードに対応して選択されるストロボ撮影モードでは、選択されるストロボ撮影モードに対して、初期値は全て発光禁止モードの設定が行なわれる。これは、撮影動作を効率的に行なうために行なわれるもので、選択されるストロボ撮影モードに対して、初期値が全て発光モードに設定されると、その度にストロボのコンデンサの充電量のチェックと、充電必要時の充電とが行なわれ、実際にはストロボを使用しないで撮影が行なわれる場合には、不必要な動作が実行され撮影準備時間が長くなることを避けるためである。
（２）オペレータによって、今回選択設定されたストロボ撮影モードの次回以降への保持、或いは初期化の選択が可能で、保持の選択指令が行なわれると、次回以降の撮影時に、今回選択設定されたストロボ撮影モードがそのまま実行され、改めてストロボ撮影モードの選択設定をする手間が省かれる。
（３）シーン撮影モードとして、遠景撮影モードが選択されている場合には、ストロボ光は遠方まで届かず、ストロボ発光は消費電力のロスになるだけで無意味なので、選択したストロボ撮影モードでは発光禁止モードが設定される。
【００１８】
（４）暗い雰囲気で人物や動物を撮影すると、被写体の瞳が赤く撮影される赤目現象が知られており、この現象を軽減すめために、本番の撮影前にストロボ光をプリ発光する赤目発光モードでの撮影が行なわれている。
本実施の形態では、シーン撮影モードとして、文字撮影モードや風景撮影モードなどの人物撮影を目的としない撮影モードが選択されていると、ストロボ撮影モードで赤目発光モードが選択されても発光禁止モードが設定される。
（５）この種の撮像装置では、シャッタ速度が、基準値（手振れ発生シャッタ速度に対応する基準値）未満ではストロボ発光を行い、シャッタ速度が、基準値以上では、ストロボ発光を禁止するオートストロボ駆動手段が設けられている。なお、シャッタ速度が基準値未満の場合にはストロボ発光とともにシャッタ速度は基準値以上に変更される。
しかし、夜景を背景として人物のストロボ撮影を行なう場合には、基準値以上のシャッタ速度でオートストロボ発光で撮影すると、人物にはストロボ光が届くが、背景には届かないので、背景が暗くなり夜景に背景としての意味がなくなる。
このために、本実施の形態では、ストロボ撮影モードがスローシンクロモードに設定され、シャッタ速度の前記基準値を増加（速度を低下）させて、低速のシャッタ速度のままとすることで、高品質の夜景を背景とした人物のストロボ撮影が行なわれる。
（６）シーン撮影モードとして、遠方の風景撮影モードや夜景撮影モードなどのマクロ撮影に適応性のない撮影モードが選択されると、マクロ撮影モードの設定は禁止される。
【００１９】
本実施の形態でのシーン撮影モードの選択切換時のストロボモード選択設定動作を図４を参照して説明する。
図４は本実施の形態のシーン撮影モードに対するストロボモード設定動作を示すフローチャートである。
【００２０】
図４のフローチャートのステップＳ１において、ＣＰＵ２２の指令によって、ＳＲＡＭ２１から、現在選択設定されているシーン撮影モードが読み出され、ステップＳ２に進んで、選択設定されているシーン撮影モードが遠景撮影モードであるか否かの判定が行なわれる。
ステップＳ２で、遠景撮影モードが選択設定されていると判定されると、ステップＳ１０に進んで、ストロボ撮影モードに対して発光禁止モードが設定されて処理を終了する。一方、ステップＳ２で、遠景撮影モードが選択設定されていないと判定されると、ステップＳ３に進んで、ＣＰＵ２２の指令によって、ＳＲＡＭ２１から、選択設定されているストロボ撮影モードが読み出され、ステップＳ４に進んで、ＣＰＵ２２の指令によって、選択設定されたストロボ撮影モードが、前回からのラスト保持設定によるものか、初期値のストロボ撮影モードであるかの判定が行なわれる。
【００２１】
ステップＳ４で、選択設定されたストロボ撮影モードが、初期値であると判定されると、ステップＳ１１に進んで、ストロボ撮影モードに対して発光禁止モードが設定されて処理を終了する。一方、ステップＳ４で、選択設定されたストロボ撮影モードが、前回からのラスト保持設定によるものと判定されると、ステップＳ５に進んで、ＣＰＵ２２の指令によって、ＳＲＡＭ２１から前回シーン撮影モードに対応して選択設定されたストロボ撮影モートが読み出される。
そして、ステップＳ６に進んで、ステップＳ５で読み出されたストロボ撮影モードに発光禁止モードが設定されているか否かが判定され、発光禁止モードが設定されていると判定されると処理を終了する。
【００２２】
一方、ステップＳ６で、ステップＳ５で読み出されたストロボ撮影モードに発光禁止モードが設定されていないと判定されると、ステップＳ７に進んで、ＣＰＵ２２の指令によって作動するモータドライバ３によって、レンズ部１のフォーカスレンズが、設定位置に移動される。
次いで、ステップＳ８に進んで、ＣＰＵ２２の指令によって、ストロボのメインコンデンサの充電状態がチェックされ、充電が必要か否かの判定が行なわれ、充電が不要と判定されると処理を終了し、充電が必要と判定されるとステップＳ９に進んで、ストロボのメインコンデンサへの充電処理が行なわれて処理を終了する。
【００２３】
本実施の形態の夜景人物モード撮影時のシャッタ速度設定動作を、図５を参照して説明する。
図５は本実施の形態の夜景人物モード撮影時のシャッタ速度設定動作を示すフローチャートである。
【００２４】
図５のフローチャートのステップＳ２１において、ＣＰＵ２２の指令によって、被写体の測光処理が行なわれ、測光結果に基づいて、ＣＰＵ２２の指令によって、撮影時のシャッタ速度が演算され、ステップＳ２３に進んで、現在のズーム位置に基づいて、手振れが起きる可能性が高くなるシャッタ速度が、基準値として演算される。
次いで、ステップＳ２４に進んで、ステップＳ２２で演算された撮影時のシャッタ速度が、ステップＳ２３で演算した基準値以上であれば、処理を終了する。
一方、ステップＳ２４で、ステップＳ２２で演算された撮影時のシャッタ速度が、基準値未満の低速であると判定されると、ステップＳ２５に進んで、ＣＰＵ２２の指令によって、ストロボ発光の準備が行なわれ、ステップＳ２６に進んで、ＳＲＡＭ２１から読み出された現在選択設定されているシーン撮影モードが、夜景撮影モードであるか否かの判定が行なわれる。
【００２５】
ステップＳ２６で、選択設定されたシーン撮影モードが、夜景撮影モードでないと判定されると処理を終了する。選択設定されたシーン撮影モードが夜景撮影モードであると判定されると、ステップＳ２７で、手振れに係る基準値を増加させて、測光結果より演算された撮影時のシャッタ速度に対して、ストロボ撮影モードをスローシンクロによる発光モードにして被写体の撮影が行なわれる。
【００２６】
本実施の形態のマクロモード設定動作を、図６を参照して説明する。
図６は本実施の形態のマクロモード設定動作を示すフローチャートである。
【００２７】
ＣＰＵ２２の指令によって、ＳＲＡＭ２１から現在選択設定されているシーン撮影モードが読み出され、ステップＳ３１で、選択設定されているシーン撮影モードが、遠景撮影モードであるか否かが判定され、遠景撮影モードであると判定されると処理を終了する。一方、ステップＳ３１で、選択設定されているシーン撮影モードが遠景撮影モードでないと判定されると、ステップＳ３２に進んで、選択設定されているシーン撮影モードが夜景モードであるか否かが判定され、夜景モードであると判定されると処理を終了する。
【００２８】
一方、ステップＳ３２で、選択設定されているシーン撮影モードが夜景モードでないと判定されると、ステップＳ３３に進んで、選択設定されているシーン撮影モードがスポーツモードであるか否かが判定され、スポーツモードであると判定されると処理を終了する。一方、ステップＳ３３で、選択設定されているシーン撮影モードがスポーツモードでないと判定されると、ステップＳ３４に進んで、ＣＰＵ２２の指令によって作動するモータドライバ３によって、鏡胴機構をマクロ撮影位置に移動して処理を終了する。
【００２９】
以上に説明したようにして、本実施の形態では、シーン撮影モード、ストロボ撮影モード及びマクロ撮影モードを含む複数の撮影条件の選択設定が、相互の適合性を維持して行なわれると、その後、選択設定された撮影条件下で被写体の撮影が行なわれる。
この場合、被写体光像はレンズ部１によって、ＣＣＤ５の受光面に結像され、ＣＣＤ５にマトリクス状に配列されているフォトダイオードに入射され、ＣＰＵ２２の指令によって作動する駆動制御回路１１からの駆動制御信号による電子シャッタ動作によって、蓄積時間が制御された状態で蓄積される。このＣＣＤ５への入射光像は、ＣＣＤ５によってアナログ撮像信号に光電変換され、ＣＣＤ５から出力されて撮像信号処理ユニット１０に入力される。
【００３０】
撮像信号処理ユニット１０に入力された撮像信号は、ＣＤＳ６によって相関２重サンプリングによる低雑音化処理が施され、ＡＧＣ７で利得補正が行なわれ、ＡＤ変換回路８で、例えば、ＮＴＳＣ信号のサブキャリア周波数の整数倍のサンプリング周波数でＡＤ変換され、ディジタル撮像信号として信号処理ユニット１２に入力される。
信号処理ユニット１２では、ＣＣＤテンタフェース１３に入力されるディジタル撮像信号は、メモリコントローラ１４によって、ＣＣＤ配列のままのＲＡＷ−ＲＧＢデータ３１としてＳＤＲＡＭ３４に格納される。
【００３１】
そして、信号処理ユニット１２においては、ＣＰＵ２２の指令で作動するメモリコントローラ１４によって、ＳＤＲＡＭ３４からＲＡＷ−ＲＧＢデータ３１が読み出され、ＹＵＶ変換回路１５によって、ガンマ補正及び色分離処理に基づき、ＹＵＶ変換によって色差信号と輝度信号が作成され、得られる色差信号と輝度信号に基づいて、ディジタルＮＴＳＣ信号が取得される。このディジタルＮＴＳＣ信号が、ディスプレイインタフェース１６を介して、ＤＡ変換されて液晶ディスプレイ１８に被写体画像として表示される。
【００３２】
一方、被写体の撮像画像データをメモリカード２０に記録格納する場合には、メモリコントローラ１４によって、ＳＤＲＡＭ２１から読み出されるＲＡＷ−ＲＧＢデータ３１に対して、ＹＵＶ変換回路１５によって、ガンマ補正及び色分離処理に基づき、色差信号と輝度信号が作成され、作成された色差信号と輝度信号が、ＳＤＲＡＭ３４にＹＵＶ変換データ３２として格納される。
次いで、メモリコントローラ１４によって、ＳＤＲＡＭ３４から読み出されるＹＵＶ変換データ３２に対して、ＣＰＵ２２の指令で作動する圧縮・伸長処理ブロック１７によって、直交変換やハフマン符号化により、ＪＰＥＧ方式での圧縮処理が施され、メモリコントローラ１４によって、ＳＤＲＡＭ３４にＪＰＥＧ圧縮データ３３として格納される。
そして、このようにして、ＳＤＲＡＭ３４に格納されたＪＰＥＧ圧縮データ３３が、ＣＰＵ２２の指令により作動するメモリコントローラ１４によって、ＳＤＲＡＭ３４から読み出されてメモリカード２０に記録格納される。
【００３３】
また、メモリカード２０に記録格納された圧縮データを、メモリカード２０から読み出す場合には、メモリコントローラ１４によって、読み出される圧縮データは、一旦ＳＤＲＡＭ３４に格納された後に読み出され、ＣＰＵ２２の指令によって作動する圧縮・伸長ブロック１７により、リアルタイムに伸長され、メモリコントローラ１４によって、ディスプレイインタフェース１６に入力され、ＤＡ変換されて液晶ディスプレイ１８に表示される。
【００３４】
以上に説明したように、本実施の形態によると、オペレータが操作部２３から、シーン撮影モード、ストロボ撮影モード、及びマクロ撮影モードの選択を含む各種の撮影条件の選択をそれぞれ独立して行なうと、選択された複数の撮影条件の相互間に、現在の撮影雰囲気条件下で、撮影の効率性と消費電力削減化とに基づき、被写体撮影上の適応性があるか否かが、ＣＰＵ２２によって判定され、得られる判定結果に基づいて、ＣＰＵ２２の指令によって作動するストロボモード制御ユニット２８、マクロ制御ユニット２９、及び画質制御ユニット２９によって、選択された撮影条件に対応して、適確なストロボ撮影モード、マクロ撮影モード、及び画質撮影モードが選択設定され、選択設定された各撮像モードによる撮影条件下で、被写体の高品質の撮影画像を低消費電力で効率的に撮像取得することが可能になる。
【図面の簡単な説明】
【００３５】
【図１】本発明の一実施の形態の構成を示すブロック図である。
【図２】同実施の形態の外観構成を示す説明図である。
【図３】同実施の形態で液晶ディスプレイに表示されるシーン撮影モードに対するストロボモード設定画像の説明図である。
【図４】同実施の形態のシーン撮影モードに対するストロボモード設定動作を示すフローチャートである。
【図５】同実施の形態の夜景人物モード撮影時のシャッタ速度設定動作を示すフローチャートである。
【図６】同実施の形態のマクロモード設定動作を示すフローチャートである。
【符号の説明】
【００３６】
６  ＣＣＤ
１０  撮影信号処理ユニット
１２  信号処理ユニット
１４  メモリコントローラ
１８  液晶ディスプレイ
２２  ＣＰＵ
２５  ストロボモード設定ユニット
２６  マクロモード設定ユニット
２７  シーン撮影モード設定ユニット
２８  ストロボ制御ユニット
２９  マクロ制御ユニット
３０  画質制御ユニット
３４  ＳＤＲＡＭ
【図１】
2008116987.tif 000003
【図２】
2008116987.tif 000004
【図３】
2008116987.tif 000005
【図４】
2008116987.tif 000006
【図５】
2008116987.tif 000007
【図６】
2008116987.tif 000008
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
被写体の撮影に際して、複数のシーン撮影モードから実行するシーン撮影モードを選択し、選択されたシーン撮影モードでの撮影を設定するシーン撮影モード設定手段と、
被写体の近距離からの撮影を選択し、マクロ撮影モードを設定するマクロ撮影モード設定手段と、
前記シーン撮影モード設定手段により、マクロ撮影に適応性のないシーン撮影モードが設定されると、マクロ撮影を禁止するマクロ撮影禁止手段と
を有することを特徴とする撮像装置。
【請求項２】
請求項１記載の撮像装置において、
マクロ撮影に適応性のないシーン撮影モードが、風景撮影モード、夜景撮影モード及びスポーツ撮影モードの何れかであることを特徴とする撮像装置。
【手続補正２】
【補正対象書類名】明細書
【補正対象項目名】０００５
【補正方法】変更
【補正の内容】
【０００５】
本発明は、前述したような従来の撮影装置の動作の現状に鑑みてなされたものであり、その目的は、選択されるシーン撮影モードに対応して、マクロ撮影モードを含む撮影条件が、相互の適応性を満足する状態で設定され、撮影雰囲気条件に対応する被写体の高画質の撮影を、オペレータの負担なしに、且つ無駄な電力消費なしに行なうことが可能な撮像装置を提供することにある。
【手続補正３】
【補正対象書類名】明細書
【補正対象項目名】０００６
【補正方法】変更
【補正の内容】
【０００６】
〔１〕  前記目的を達成するために、請求項１記載の発明は、被写体の撮影に際して、複数のシーン撮影モードから実行するシーン撮影モードを選択し、選択されたシーン撮影モードでの撮影を設定するシーン撮影モード設定手段と、被写体の近距離からの撮影を選択し、マクロ撮影モードを設定するマクロ撮影モード設定手段と、前記シーン撮影モード設定手段により、マクロ撮影に適応性のないシーン撮影モードが設定されると、マクロ撮影を禁止するマクロ撮影禁止手段とを有することを特徴とするものである。
このような手段によると、被写体の撮影に際して、シーン撮影モード設定手段によって、複数のシーン撮影モードから実行するシーン撮影モードが選択され、選択されたシーン撮影モードでの撮影が設定され、マクロ撮影モード設定手段によって、被写体の近距離からの撮影を行なうマクロ撮影モードが設定された場合、シーン撮影モード設定手段によって、マクロ撮影に適応性のないシーン撮影モードが設定されると、マクロ撮影禁止手段によってマクロ撮影が禁止され、マクロ撮影に適応性のないシーン撮影モードでの誤撮影が防止される。
〔２〕  同様に前記目的を達成するために、請求項２記載の発明は、請求項１記載の発明において、マクロ撮影に適応性のないシーン撮影モードが、風景撮影モード、夜景撮影モード及びスポーツ撮影モードの何れかであることを特徴とするものである。
このような手段によると、マクロ撮影に適応性のないシーン撮影モードを、風景撮影モード、夜景撮影モード及びスポーツ撮影モードの何れかとして、請求項１記載の発明での作用が実行される。
〔Ａ〕  なお、前記目的を達成するために、被写体の撮影に際して、複数のシーン撮影モードから実行するシーン撮影モードを選択し、選択されるシーン撮影モードでの撮影を設定するシーン撮影モード設定手段と、被写体のストロボを使用する撮影に際して、複数のストロボモードから実行するストロボ撮影モードを選択し、選択されるストロボ撮影モードでの撮影を設定するストロボモード設定手段と、前記シーン撮影モード設定手段で選択設定されたシーン撮影モードに対して、適応性を有するストロボ撮影モードの選択設定が行なわれるように、前記ストロボモード設定手段の選択設定動作を制御するストロボモード設定制御手段とを有することを特徴とする撮像装置としてもよい（構成Ａ）。
このような手段によると、被写体の撮影に際して、シーン撮影モード設定手段によって、複数のシーン撮影モードから実行するシーン撮影モードが選択され、選択されたシーン撮影モードでの撮影が設定され、被写体のストロボを使用する撮影に際しては、ストロボモード設定手段によって、複数のストロボモードから実行するストロボモードが選択され、選択されるストロボモードでの撮影の設定が行なわれるが、シーン撮影モード設定手段で選択設定されたシーン撮影モードに対して、適応性を有するストロボモードの選択設定が行なわれるように、ストロボモード設定制御手段によって、ストロボモード設定手段の選択設定動作が制御され、選択設定されるシーン撮影モードに対して、適応性のない不適確なストロボモードが選択設定されることはなく、オペレータに修復操作などの負担を与えず、且つ無駄な電力消費を防止して、撮影雰囲気条件に対応して、常に被写体の高品質の撮像画像が撮影取得される。
〔Ｂ〕  前記構成Ａの発明において、シーン撮影モード設定手段により設定されるシーン撮影モードに対して、ストロボモード制御手段の制御によって、ストロボモード設定手段により選択設定されるストロボ撮影モードの初期値がストロボ禁止状態に設定されることを特徴としてもよい。
このような手段によると、前記構成Ａの発明での作用に加えて、ストロボモード制御手段の制御によって、シーン撮影モード設定手段により選択設定されるシーン撮影モードに対応して、ストロボモード設定手段により選択設定されるストロボモードの初期値が、常にストロボ禁止状態に設定され、ストロボの電源容量のチェックと充電動作の実行とが必要時に限定して行なわれ、不要な電力消費が防止され、撮影動作が効率的に行なわれる。
〔Ｃ〕  前記構成Ａの発明において、ストロボモード設定手段によって、設定されるストロボ撮影モードを保持し、或いは初期化するストロボモード保持・初期化制御手段と、該ストロボモード保持・初期化制御手段の動作を選択する保持・初期化選択手段とがさらに設けられていることを特徴としてもよい。
このような手段によると、前記構成Ａの発明での作用に加えて、保持・初期化選択手段によって、ストロボモード設定手段により設定されるストロボモードの保持或いは初期化が選択され、必要時には設定したストロボモードをストロボモード保持・初期化手段に保持させることにより、改めてストロボモードを設定する重複操作が省かれ、被写体の撮影動作が効率的に実行される。
〔Ｄ〕  前記構成Ａの発明において、シーン撮影モード設定手段により風景撮影モードが設定されると、ストロボモード制御手段の制御によって、ストロボモード設定手段は、ストロボ撮影モードを発光禁止モードに選択設定することを特徴としてもよい。
このような手段によると、前記構成Ａの発明での作用に加えて、シーン撮影モード設定手段により風景撮影モードが設定されると、ストロボモード制御手段の制御によって、ストロボモード設定手段は、ストロボモードを発光禁止モードに選択設定し、無駄なストロボ発光を防止することによって、被写体の撮影動作が消費電力の浪費を避けて効率的に行なわれる。
〔Ｅ〕  前記構成Ａの発明において、シーン撮影モード設定手段により人物撮影モード以外の撮影モードが設定されると、ストロボ制御手段によって、ストロボモード設定手段は、赤目撮影モード以外のストロボ撮影モードを選択設定することを特徴としてもよい（構成Ｅ）。
このような手段によると、前記構成Ａの発明での作用に加えて、シーン撮影モード設定手段により人物撮影モード以外の撮影モードが設定されると、ストロボ制御手段によって、ストロボモード設定手段が、設定された撮影モードには不要な赤目撮影モード以外のストロボモードの選択設定を制御することにより、ストロボの無駄な赤目発光を防止することによって、被写体の撮影動作が消費電力の浪費を避けて効率的に行なわれる。
〔Ｆ〕  前記構成Ｅの発明において、人物撮影モード以外の撮影モードが、文字撮影モード、または風景撮影モードであることを特徴としてもよい。
このような手段によると、人物撮影モード以外の撮影モードを、文字撮影モード、または風景撮影モードとして、前記構成Ｅの発明での作用が実行される。
〔Ｇ〕  前記構成Ａの撮像装置において、シャッタ速度が基準値未満では、ストロボを発光させ、シャッタ速度が基準値以上では、ストロボの発光を禁止するストロボ駆動手段と、シーン撮影モード設定手段による夜景撮影モードの設定時に、前記基準値未満までシャッタ速度を許可し、夜景撮影モード以外のシーン撮影モードの設定時には、基準値でシャッタ速度を打ち切るシャッタ速度設定手段とがさらに設けられていることを特徴としてもよい。
このような手段によると、前記構成Ａの発明での作用に加えて、シャッタ速度が基準値未満では、ストロボを発光させ、シャッタ速度が基準値以上では、ストロボの発光を禁止するストロボ駆動手段に対して、シーン撮影モード設定手段による夜景撮影モードの設定時には、基準値未満までシャッタ速度を許可することにより、遅いシャッタ速度でストロボを発光させ、シャッタ速度を基準値未満まで低速にすることで、ストロボ光が届く人物だけでなく、ストロボ光が届かない背景も明るく撮影し、夜景を背景とする人物の高画質なストロボ撮影が行なわれる。
【手続補正４】
【補正対象書類名】明細書
【補正対象項目名】０００７
【補正方法】変更
【補正の内容】
【０００７】
請求項１記載の発明によると、被写体の撮影に際して、シーン撮影モード設定手段によって、複数のシーン撮影モードから実行するシーン撮影モードが選択され、選択されたシーン撮影モードでの撮影が設定され、マクロ撮影モード設定手段によって、被写体の近距離からの撮影を行なうマクロ撮影モードが設定される場合、シーン撮影モード設定手段によって、マクロ撮影に適応性のないシーン撮影モードが設定されると、マクロ撮影禁止手段によってマクロ撮影が禁止されるので、マクロ撮影に適応性のないシーン撮影モードでの誤撮影の防止が可能になる。
請求項２記載の発明によると、請求項１記載の発明において、マクロ撮影に適応性のないシーン撮影モードを、風景撮影モード、夜景撮影モード及びスポーツ撮影モードの何れかとして、請求項１記載の発明で得られる効果が実現可能となる。